(57)【特許請求の範囲】
【請求項１】
軸方向一方側にホース接続部を有し、軸方向他方側にリテーナー手段が設けられたコネクタと、軸方向他方側端開口から前記コネクタ内に挿入されて、外周面に形成された環状係合突部が前記リテーナー手段とスナップ係合し、かつ、前記コネクタの軸方向他方側端又は前記コネクタの軸方向他方側端よりも軸方向他方側に位置する環状確認突部が外周面に形成されているパイプ体と、に被せられて取り付けられるコネクタ用半嵌合防止クリップであって、
断面Ｕ字状又はコの字状のクリップ本体と、このクリップ本体の軸方向一方側端に一体的に形成された、Ｕ字状のコネクタ嵌め込み溝を有する一方側壁部と、前記クリップ本体の軸方向他方側端に一体的に形成された、前記パイプ体の本体外径と等しい又はほぼ等しい幅のＵ字状のパイプ嵌め込み溝を有する他方側壁部と、この他方側壁部の開放側端部に、前記パイプ嵌め込み溝を挟んで一体的に形成された軸方向他方側に延びる一対の規制片部と、それぞれの前記規制片部と前記他方側壁部との間に一体的に設けられた一対の補強リブと、を備え、
一対の前記規制片部の間隔は、前記パイプ体の前記本体の通過を許容するように、しかし、前記パイプ体の前記環状係合突部及び前記環状確認突部の通過を許容しないように設定され、
前記クリップ本体内に、前記コネクタの軸方向他方側に形成されている大径部から前記パイプ体の前記環状確認突部までを、前記一方側壁部及び前記他方側壁部で軸方向両側から挟んだ状態で、実質的に収容するように構成されていて、
前記他方側壁部の内面と前記規制片部の軸方向他方側端との軸方向距離は、前記パイプ体の前記環状係合突部と前記環状確認突部との軸方向間隔よりも長く設定され、さらに、
一対の前記補強リブの間隔は、前記パイプ体の前記環状確認突部の外径よりも
狭く設定されている、ことを特徴とするコネクタ用半嵌合防止クリップ。
【請求項２】
前記補強リブは、前記規制片部の全長にわたって設けられている、ことを特徴とする請求項１記載のコネクタ用半嵌合防止クリップ。
【請求項３】
前記補強リブはそれぞれ、前記パイプ嵌め込み溝に沿って形成されていて、
一対の前記補強リブの間隔は、前記パイプ嵌め込み溝の幅と等しく又はほぼ等しく設定されている、ことを特徴とする請求項１又は２記載のコネクタ用半嵌合防止クリップ。
【請求項４】
前記クリップ本体の前記一方側壁部は、前記コネクタ嵌め込み溝が軸方向一方側に突出するように、軸方向一方側に向って膨出して形成されている、ことを特徴とする請求項１、２又は３記載のコネクタ用半嵌合防止クリップ。
【発明の詳細な説明】
【０００１】
【発明の属する技術分野】
本発明は、例えば自動車のガソリン燃料配管の連結に用いられるコネクタと、このコネクタに挿入されたパイプ体とが正常に接続されていることを確認するためのコネクタ用半嵌合防止クリップに関する。
【０００２】
【従来の技術】
流体配管の連結に用いられるコネクタとパイプ体との接続は、例えば、パイプ体の軸方向一方側又は挿入端部の外周面に環状係合突部を形成しておくとともに、コネクタの軸方向他方側内にリテーナーを嵌め付けておき、環状係合突部がこのリテーナーの軸方向一方側端又は軸方向一方側端部とスナップ係合するようにパイプ体をこのリテーナー内に挿入してパイプ体及びコネクタを抜け止め状態とすることにより行われるが、十分に注意して接続作業を行わないと、いわゆる半嵌合状態、すなわちリテーナー内にパイプ体が十分に挿入されていないで環状係合突部がリテーナーの軸方向一方側端又は軸方向一方側端部と係合していない状態が生じてしまう。コネクタ及びパイプ体の接続個所には内部流体の漏出を防止するためのシール部材が設けられているが、コネクタとパイプ体とが半嵌合状態のまま配管連結構造が使用されれば、コネクタとパイプ体との間の密封が不十分なので、あるいはコネクタとパイプ体との間の密封が不十分となって、内部流体が漏出してしまう。そこで、パイプ体がリテーナーに挿入不十分な状態のままで配管連結構造が使用されることがないように、コネクタとパイプ体との接続状態を確認することができる半嵌合防止手段を採用するのが好ましい。
【０００３】
このような半嵌合防止手段としては、スナップ係合用の環状係合突部（第１環状突起）とは別に、パイプ体の外周面にコネクタの軸方向他方側端よりも軸方向他方側に位置する環状確認突部（第２環状突起）を設けておき、断面Ｕ字状のクリップ本体（中間部）のそれぞれの端部に一方側壁部（第２横壁）及び他方側壁部（第１横壁）を形成するとともに、他方側壁部（第１横壁）に薄肉の規制片部（突出部）を形成したコネクタ用半嵌合防止クリップをコネクタ及びパイプ体に被せて取り付けるといったものが知られている（例えば特許文献１参照）。ここでは、コネクタ用半嵌合防止クリップの一方側壁部に、コネクタの保持部よりも軸方向一方側で、かつ保持部に隣接した部分を嵌め込むためのＵ字状のコネクタ嵌め込み溝（第２切欠溝）が形成され、他方側壁部に、パイプ体の環状確認突部よりも軸方向他方側で、かつ環状確認突部に隣接した部分を嵌め込むための、パイプ体と同一又はほぼ同一の幅を有するＵ字状のパイプ嵌め込み溝（第１切欠溝）が形成される。また、規制片部は、他方側壁部のパイプ嵌め込み溝の両側に一対形成され、この一対の規制片部の間隔はパイプ嵌め込み溝の開放側（第１切欠溝の第１案内面側）の幅と等しいように設定される。そして、それぞれの規制片部と他方側壁部との間には、環状確認突部が押し付けられたときに、規制片部が変形して環状確認突部の通過を許容してしまわないように、補強リブが一体的に形成されている。
【０００４】
このようなコネクタ用半嵌合防止クリップは、パイプ体がコネクタに正常に挿入接続され、環状確認突部が所定の軸方向位置に配置されている場合には、コネクタの保持部からパイプ体の環状確認突部までを、一方側壁部及び他方側壁部で軸方向両側から挟むようにしてクリップ本体内に収容し、コネクタ及びパイプ体に簡単に取り付けることができるが、パイプ体がコネクタに対して半嵌合状態で、環状確認突部が所定の軸方向位置よりも軸方向他方側に偏って配置されている場合には、環状確認突部が規制片部に当接し、規制片部の間を通過することができないので、コネクタ及びパイプ体に取り付けることができない。また、コネクタ用半嵌合防止クリップの他方側壁部の内面と規制片部の軸方向他方側端との軸方向距離は、パイプ体の環状係合突部と環状確認突部との軸方向間隔よりも若干長く設定されているので、パイプ体がコネクタに対して半嵌合状態で、環状確認突部が所定の軸方向位置よりも軸方向他方側に偏って配置され、しかも、環状確認突部が規制片部から軸方向他方側に外れてしまう位置関係では、環状係合突部が規制片部に当接し、規制片部の間を通過することができないので、やはり、コネクタ用半嵌合防止クリップをコネクタ及びパイプ体に取り付けることができない。したがって、コネクタ用半嵌合防止クリップのコネクタ及びパイプ体への取り付けにより、パイプ体の正常な接続を確認でき、逆に、コネクタ用半嵌合防止クリップをコネクタ及びパイプ体に取り付けることができなかったことにより、パイプ体の半嵌合状態を確認できることとなる。
【０００５】
【特許文献１】
特開平１１−６５９１号公報（第５頁、図２）
【０００６】
【発明が解決しようとする課題】
しかしながら、特許文献１のコネクタ用半嵌合防止クリップでは、補強リブが規制片部の幅方向外端部に設けられているので、補強リブの間に環状確認突部よりも幅広の配置スペースが形成されている。したがって、パイプ体とコネクタとが半嵌合状態であるときにも、図１３に示すように、例えばコネクタＡの軸方向他方側端と環状確認突部Ｂとの間のパイプ体部分を、規制片部Ｃの軸方向他方側から一対の規制片部Ｃ間に通し、環状確認突部Ｂ全体をコネクタ用半嵌合防止クリップＤの他方側壁部Ｅと規制片部Ｃとの間に位置させることができてしまい、そして、コネクタ用半嵌合防止クリップＤを規制片部Ｃ側を中心として回転させることにより（図１３の矢印参照）、図１４に示すように、コネクタＡの保持部Ｆをクリップ本体Ｇ内に収めてコネクタ用半嵌合防止クリップＤをコネクタＡ及びパイプ体Ｈに取り付けることが可能となる。それゆえ、このような構成のコネクタ用半嵌合防止クリップは、パイプ体とコネクタとが半嵌合状態のときには取り付けることができないといった接続確認機能を確実に期待できるものではない。
【０００７】
そこで本発明は、優れた接続確認機能を有するコネクタ用半嵌合防止クリップの提供を目的とする。
【０００８】
【課題を解決するための手段】
この目的を達成するための本発明のコネクタ用半嵌合防止クリップ（キャップ）は、軸方向一方側にホース接続部を有し、軸方向他方側にリテーナー手段が設けられたコネクタと、軸方向他方側端開口から前記コネクタ内に挿入されて、外周面に形成された環状係合突部が前記リテーナー手段とスナップ係合し、かつ、前記コネクタの軸方向他方側端又は前記コネクタの軸方向他方側端よりも軸方向他方側に位置する環状確認突部が外周面に形成されているパイプ体と、に被せられて取り付けられるコネクタ用半嵌合防止クリップ（キャップ）であって、断面Ｕ字状又はコの字状（断面ほぼＵ字状又はほぼコの字状を含む）のクリップ本体（キャップ本体）と、このクリップ本体の軸方向一方側端に一体的に形成された、Ｕ字状（ほぼＵ字状を含む）のコネクタ嵌め込み溝を有する一方側壁部と、前記クリップ本体の軸方向他方側端に一体的に形成された、前記パイプ体の本体外径と等しい又はほぼ等しい幅のＵ字状（ほぼＵ字状を含む）のパイプ嵌め込み溝を有する他方側壁部と、この他方側壁部の開放側端部に、前記パイプ嵌め込み溝を挟んで一体的に形成された軸方向他方側に延びる一対の規制片部と、それぞれの前記規制片部と前記他方側壁部との間に一体的に設けられた一対の補強リブと、を備え、一対の前記規制片部の間隔は、前記パイプ体の前記本体の通過を許容するように、しかし、前記パイプ体の前記環状係合突部及び前記環状確認突部の通過を許容しないように設定され、前記クリップ本体内に、前記コネクタの軸方向他方側に形成されている大径部から前記パイプ体の前記環状確認突部までを、前記一方側壁部及び前記他方側壁部で軸方向両側から挟んだ状態で、実質的に収容するように構成されていて、前記他方側壁部の内面と前記規制片部の軸方向他方側端との軸方向距離は、前記パイプ体の前記環状係合突部と前記環状確認突部との軸方向間隔よりも長く設定され、さらに、 一対の前記補強リブの間隔は、前記パイプ体の前記環状確認突部の外径よりも狭く設定されているものである。ホース接続部は、パイプ体と連結される種々の相手側部材の接続部を広く含む。
【０００９】
コネクタ用半嵌合防止クリップの取り付け時には、クリップ本体が、コネクタの軸方向他方側に形成されている大径部から、例えば大径部の軸方向一方側端からパイプ体の環状確認突部までを実質的に、すなわち、ほぼ大径部から、例えばほぼ大径部の軸方向一方側端からほぼ環状確認突部までを収容するが、大径部から環状確認突部までは、クリップ本体の一方側壁部及び他方側壁部によって軸方向両側から挟まれた状態で、クリップ本体に収容される。クリップ本体の一方側壁部及び他方側壁部は、軸方向に間隔を設けずに、あるいは軸方向に僅かの間隔を設けて、大径部からパイプ体の環状確認突部までを挟む。すなわち、一方側壁部と他方側壁部との軸方向間隔は、パイプ体がコネクタに正常に挿入接続されたときの、大径部から環状確認突部（環状確認突部の軸方向他方側端）までの軸方向間隔とほぼ等しく設定されている。したがって、パイプ体がコネクタに対して半嵌合状態であり、パイプ体の環状確認突部が軸方向他方側に偏って位置している場合には、コネクタ用半嵌合防止クリップを取り付けようとすると、環状確認突部はコネクタ用半嵌合防止クリップの規制片部側に位置することとなる。しかしながら、規制片部は、例えばパイプ体の本体（環状係合突部や環状確認突部以外のパイプ体部分）の外径と等しいか又はほぼ等しい幅方向間隔を有し、パイプ体の本体の通過を許容するが、環状確認突部の通過を許容しない。その結果、パイプ体の環状確認突部と規制片部とが当接又は干渉して（環状確認突部が他方側壁部と当接又は干渉する場合を含む）、コネクタ用半嵌合防止クリップをコネクタ及びパイプ体に取り付けることができない。そこで、コネクタ用半嵌合防止クリップをコネクタ及びパイプ体に取り付けることができたときは、パイプ体がコネクタに正常に挿入接続されていることとなる。
【００１０】
また、本発明では、コネクタ用半嵌合クリップの他方側壁部の内面と規制片部の軸方向他方側端との軸方向距離は、パイプ体の環状係合突部と環状確認突部との軸方向間隔よりも長いので、パイプ体の環状係合突部と環状確認突部との間の部分は規制片部と平行な状態では一対の規制片部間を通過することができない。さらに、本発明では、それぞれの規制片部と他方側壁部との間に補強リブが一体的に形成され、一対の補強リブの間隔が、パイプ体の環状確認突部の外径よりも狭く設定されている。したがって、パイプ体とコネクタとが半嵌合状態であり、環状確認突部が規制片部と当接する位置関係のときに、環状確認突部よりも軸方向一方側のパイプ体部分（環状係合突部と環状確認突部との間のパイプ体部分）を、規制片部の軸方向他方側から一対の規制片部間に通しても、あるいは嵌め込んでも、補強リブとの当接干渉により、環状確認突部が規制片部と他方側壁部との間（例えば規制片部の軸方向他方側端部よりも軸方向一方側のスペース）に全体的に入り込むといったことは阻止される。したがって、他方側壁部の開放側端又は規制片部の軸方向一方側端部が環状係合突部と当接してしまい、パイプ体が一対の規制片部間を通過するようにコネクタ用半嵌合防止クリップを取り付け操作することができない。それゆえ、コネクタとパイプ体とが半嵌合状態のときには、コネクタ用半嵌合防止クリップをコネクタ及びパイプ体に確実に取り付けることができないこととなる。
【００１１】
環状確認突部が規制片部と他方側壁部との間に全体的に入り込むことを阻止するためには、補強リブを規制片部の全長にわたって設けることが効果的である。また、補強リブを、パイプ嵌め込み溝に沿って形成し、一対の補強リブの間隔を、パイプ嵌め込み溝の幅と等しく又はほぼ等しく設定してもよい。
【００１２】
また、クリップ本体に形成された一方側壁部を、コネクタ嵌め込み溝が軸方向一方側に突出するように、軸方向一方側に向って膨出させて形成すれば、一方側壁部の外縁からコネクタ嵌め込み溝までの幅を大きく設定できるので、一方側壁部の変形によりコネクタ嵌め込み溝周縁が開きやすくなる。したがって、環状確認突部がやや厚く形成されていたり、軸方向他方側にやや偏って形成されていたりしても、コネクタの大径部からパイプ体の環状係合突部までを一方側壁部及び他方側壁部間に収めることが可能となる。
【００１３】
【発明の実施の形態】
以下、本発明の実施の形態を図面を参照して説明する。
【００１４】
図１は本発明に係るコネクタ用半嵌合防止クリップを取り付けるためのコネクタの斜視図、図２はコネクタの断面図である。
【００１５】
自動車のガソリン燃料配管の連結に用いられるコネクタ（クイックコネクタ）１は、軸方向一方側に、ゴムホース（図示せず）を嵌め付けるためのホース接続部３が一体的に形成された筒状の金属製コネクタハウジング５を備え、このコネクタハウジング５の軸方向他方側端（後端）からホース接続部３の先端まで貫通する貫通孔７を有している。ホース接続部３は、コネクタハウジング５の軸方向一方側端に一体的に連続して形成された、コネクタハウジング５の軸方向に対して９０度屈曲する屈曲部９と、この屈曲部９に一体的に連続して形成された、コネクタハウジング５の軸方向と直交する方向に延びる直管部１１と、から構成されていて、直管部１１には、径方向外側に突出する環状抜け止め突部１３、１３が軸方向に間隔を設けて２本形成されている。
【００１６】
コネクタハウジング５は、ホース接続部３が一体的に連続して形成されている軸方向一方側の円筒状連絡部１５と、軸方向他方側の大径の環状保持部１７（大径部）と、カラー１９を介して軸方向に並んで内周面に嵌め付けられて配置された一対のＯリング２１、２１（シール部材）を有する軸方向中間の円筒状シール部２３と、から構成され、円筒状シール部２３は環状保持部１７よりも小径で、円筒状連絡部１５よりも大径に構成されている。なお、図２中符号２５は、円筒状シール部２３の内周面に嵌め付けられた、Ｏリング２１のずれを防止するための金属製ブッシュである。
【００１７】
環状保持部１７は、円筒状シール部２３の軸方向他方側端に一体的に連続して形成された、軸方向他方側に向って急に拡径して短く延びる根元部２７と、この根元部２７の軸方向他方側端に一体的に連続して形成された、軸方向他方側に向って緩く拡径して延びる中間部２９と、この中間部２９の軸方向他方側端に一体的に連続して形成された、軸方向に沿って軸方向他方側に延びる開口側部３１と、この開口側部３１の軸方向他方側端に一体的に形成された、内側に僅かに突出する内向きフランジ部３３と、から構成されていて、内向きフランジ部３３の内周は挿入開口３５（軸方向他方側端開口）を形成している。
【００１８】
環状保持部１７内には、金属製のリテーナー３７が嵌め付けられていて、このリテーナー３７は、軸方向一方側端部の環状の基部３９と、この基部３９の軸方向他方側端の周方向４箇所から一体的に、概略的には軸方向他方側に延びる薄肉プレート状の支持部４１と、それぞれの支持部４１の軸方向他方側端に一体的に連続して形成され、内側に折り返して軸方向一方側に延びる薄肉プレート状の係合部４３と、から構成されていて、４つの支持部４１は周方向等間隔に配置されている。それぞれの支持部４１は、基部３９の軸方向他方側端から一体的に径方向外側に延びる外向き部４５と、この外向き部４５の径方向外端から一体的に軸方向他方側に向って径方向外側に緩く傾斜して延び、軸方向他方側端に係合部４３が一体的に連続して形成された本体部４７と、から構成され、本体部４７の軸方向他方側端あるいは係合部４３の折り返し部は、内向きフランジ部３３と当接する状態となっていて、リテーナー３７は環状保持部１７内に抜け止め状態で保持されている。係合部４３は、本体部４７から折り返して径方向内側に緩く傾斜しながら軸方向一方側に延びる係合本体部４９と、この係合本体部４９の軸方向一方側端に一体的に形成された、径方向外側に突出する当接部５１と、から構成されていて、係合本体部４９の軸方向一方側寄りには、径方向内側に突出する解除突部５３が形成されている。
【００１９】
図３はコネクタ１にパイプ体を挿入接続した場合の断面図である。
【００２０】
コネクタハウジング５の挿入開口３５から挿入されてコネクタハウジング５と嵌合接続した相手方のパイプ体５５は、挿入端部の外周面に環状係合突部５７を有していて、この環状係合突部５７がリテーナー３７の係合本体部４９を押し広げて進行し、係合部４３の当接部５１とスナップ係合するまでコネクタ１又はコネクタハウジング５内に押し込まれて挿入されている。パイプ体５５は、環状係合突部５７よりも軸方向他方側の外周面に、環状係合突部５７と同一又はほぼ同一の突出高さを有する環状確認突部５９を備えていて、環状係合突部５７がリテーナー３７の当接部５１に係合してパイプ体５５がコネクタ１に正常に挿入嵌合したとき、この環状確認突部５９が環状保持部１７の挿入開口３５よりも軸方向外側あるいは軸方向他方側に位置するように構成されている。パイプ体５５は、環状係合突部５７がリテーナー３７の係合部４３の当接部５１とスナップ係合状態となることによって、コネクタ１に対して抜け止めされ、また、環状係合突部５７がリテーナー３７の支持部４１の外向き部４５に当接してリテーナー３７を軸方向一方側に移動させ、リテーナー３７の軸方向一方側部がブッシュ２５又はブッシュ２５近傍に当接することにより挿入止めされる。パイプ体５５の軸方向一方側端又は挿入側端は、円筒状シール部２３の一対のＯリング２１、２１を越えて円筒状連絡部１５内に達し、パイプ体５５とコネクタハウジング５の内周面との間はこのＯリング２１により密封されている。
【００２１】
パイプ体５５は、解除具６１の一対の半割状筒部６３、６３を環状保持部１７とパイプ体５５との隙間に挿入し、半割状筒部６３の軸方向一方側端で解除突部５３を押して係合本体部４９を押し広げ、係合部４３の当接部５１と環状係合突部５７との係合状態を解除することにより、コネクタハウジング５から引き抜くことができる（解除具６１の一対の半割状筒部６３、６３は広げられた状態で図示されている）。
【００２２】
図４は本発明に係るコネクタ用半嵌合防止クリップの斜視図、図５はコネクタ用半嵌合防止クリップの別の斜視図である。
【００２３】
コネクタ用半嵌合防止クリップ（キャップ）６５の材質には、熱可塑性樹脂が広く用いられるが、耐熱性が必要な場合は、ＰＡ１１、ＰＡ１２又はＰＡ６６等のポリアミド系樹脂を用いる。また、ＰＰ等のポリプロピレン系樹脂又はポリエステル系樹脂を用いることによって低コスト化を図ることができる。
【００２４】
コネクタ用半嵌合防止クリップ６５は、断面Ｕ字状体として形成され、軸方向（コネクタハウジング５及びパイプ体５５の軸方向）又は長さ方向に延びるＵ字開放部側からコネクタハウジング５及びパイプ体５５に被せられて取り付けられるものであり、断面Ｕ字状のクリップ本体（キャップ本体）６７と、このクリップ本体６７の軸方向一方側端に一体的に形成され、コネクタ嵌め込み溝６９が設けられた一方側壁部７１と、クリップ本体６７の軸方向他方側端に一体的に形成され、パイプ嵌め込み溝７３が設けられた他方側壁部７５と、この他方側壁部７５のＵ字開口側端部の軸方向他方側面に、幅方向両側で一体的に形成されて軸方向他方側に延びる一対の薄肉状規制片部７７、７７と、から構成され、一方側壁部７１（一方側壁部７１のコネクタ嵌め込み溝６９縁部）と他方側壁部７５との軸方向間隔は、コネクタ１の環状保持部１７の軸方向一方側端と、コネクタ１に正常に挿入接続されたパイプ体５５の環状確認突部５９の軸方向他方側端までの軸方向間隔とほぼ等しいように設定されていて、他方側壁部７５の内面と規制片部７７の軸方向他方側端との軸方向距離は、パイプ体５５の環状係合突部５７と環状確認突部５９との軸方向間隔よりも若干長く設定されている。
【００２５】
クリップ本体６７は、断面半円状の円弧状壁部７９と、この円弧状壁部７９の幅方向両端に一体的に連続して形成された一対のフラットな側壁部８１、８１と、から構成されていて、円弧状壁部７９の内面は、環状保持部１７の開口側部３１の外径と等しい又はほぼ等しい内径を有し、一対の側壁部８１、８１の間隔は、環状保持部１７の開口側部３１の外径と等しく又はほぼ等しく設定されている。
【００２６】
一方側壁部７１のコネクタ嵌め込み溝６９は、クリップ本体６７の円弧状壁部７９の内面と同心的に形成された半円状嵌め込み部８３と、半円状嵌め込み部８３の両端から側壁部８１と平行に延びて開放する導入部８５と、から構成されていて、半円状嵌め込み部８３の内径及び導入部８５の幅は、コネクタハウジング５の円筒状シール部２３の外径と等しく又はほぼ等しく設定されているが、導入部８５と半円状嵌め込み部８３との境界付近には、スナップ突起８７、８７が形成されている。したがって、一方側壁部７１は、内周が半円状嵌め込み部８３を形成する半円状部８９と、幅方向内端が導入部８５を形成する幅方向一対の側部９１、９１と、から構成されているが、コネクタ嵌め込み溝６９が一方側壁部７１の外縁よりも軸方向一方側に突出するように、側部９１、９１はそれぞれ内側に向って軸方向一方側に緩く傾斜し、半円状部８９は軸方向一方側に截頭円錐状に突出している。
【００２７】
また、他方側壁部７５のパイプ嵌め込み溝７３は、クリップ本体６７の円弧状壁部７９の内面と同心的に形成された半円状嵌め込み部９３と、半円状嵌め込み部９３の両端から側壁部８１と平行に延びて開放する導入部９５と、から構成されていて、半円状嵌め込み部９３の内径及び導入部９５の幅は、パイプ体５５の本体の外径と等しく又はほぼ等しく設定されているが、導入部９５と半円状嵌め込み部９３との境界付近には、スナップ突起９７、９７が形成されている。
【００２８】
一対の規制片部７７、７７はそれぞれ、幅方向内端面がパイプ嵌め込み溝７３の導入部９５と一致して同一平面を形成し、かつ、幅方向外端面がクリップ本体６７の側壁部８１の外面（又は他方側壁部７５の外面）と一致して同一平面を形成するように、他方側壁部７５（他方側壁部７５の軸方向他方側面）に一体的に形成されていて、一対の規制片部７７、７７の間隔はパイプ嵌め込み溝７３の幅と同一に設定されている。それぞれの規制片部７７、７７と他方側壁部７５との間には、幅方向内面が規制片部７７の幅方向内端面及びパイプ嵌め込み溝７３の導入部９５と一致して同一平面を形成するように、比較的厚肉の補強リブ９９、９９が、規制片部７７の全長にわたって一体的に形成されていて、この補強リブ９９は、規制片部７７の他方側壁部７５側に位置する面の軸方向他方側端から軸方向一方側に向って漸次高さを増していき、他方側壁部７５との接合位置では、パイプ嵌め込み溝７３の最深部位置に達する高さを有していて、補強リブ９９の端面１０１は、規制片部７７の他方側壁部７５側に位置する面の軸方向他方側端から他方側壁部７５まで延びる傾斜面として形成されている。
【００２９】
なお、図中１０３は、円弧状壁部７９に設けられた排出孔であり、コネクタ１及びパイプ体５５の接続個所から内部流体が漏出した場合に、この内部流体を外部に排出するためのものである。
【００３０】
図６はコネクタ用半嵌合防止クリップ６５をコネクタ１及びパイプ体５５に取り付ける場合の説明図、図７はコネクタ用半嵌合防止クリップ６５をコネクタ１及びパイプ体５５に取り付けた場合の斜視図、図８はコネクタ用半嵌合防止クリップ６５をコネクタ１及びパイプ体５５に取り付けた場合の別の斜視図、図９はコネクタ用半嵌合防止クリップ６５をコネクタ１及びパイプ体５５に取り付けた場合の断面図である。
【００３１】
コネクタ用半嵌合防止クリップ６５の取り付けは、円筒状シール部２３の環状保持部２９に隣接する部分を、一方側壁部７１の導入部８５内を通過又は移動させて半円状嵌め込み部８３内にスナップ的に嵌め込み、環状保持部２９からパイプ体５５の環状確認突部５９までを、一方側壁部７１と他方側壁部７５とで軸方向両側から挟んだ状態でクリップ本体６７内に収容し、パイプ体５５の環状確認突部５９よりも軸方向他方側を、他方側壁部７５の導入部９５内を通過又は移動させて半円状嵌め込み部９３内にスナップ的に嵌め込み、かつ、パイプ体５５の環状確認突部５９よりもさらに軸方向他方側を一対の規制片部７７、７７間を通過させることにより行われる。環状保持部２９からパイプ体５５の環状確認突部５９までは、一方側壁部７１と他方側壁部７５とで軸方向両側から挟まれているので、パイプ体５５のコネクタ１からの抜けが確実に防止される。
【００３２】
図１０はパイプ体５５がコネクタ１と半嵌合状態のときにコネクタ用半嵌合防止クリップ６５をコネクタ１及びパイプ体５５に取り付けようとした場合の説明図、図１１はパイプ体５５がコネクタ１と別の半嵌合状態のときにコネクタ用半嵌合防止クリップ６５をコネクタ１及びパイプ体５５に取り付けようとした場合の説明図、図１２はパイプ体５５がコネクタ１と半嵌合状態のときにコネクタ用半嵌合防止クリップ６５をコネクタ１及びパイプ体５５に特殊な態様で取り付けようとした場合の説明図である。
【００３３】
図１０に示すように、コネクタ１内又はリテーナー３７内へのパイプ体５５の挿入が不十分で、パイプ体５５の環状係合突部５７が、リテーナー３７の係合部４３の当接部５１と係合していないときは、パイプ体５５とコネクタ１とが正常に接続されている場合と比較して、パイプ体５５の環状確認突部５９は、コネクタハウジング５の軸方向他方側端から軸方向他方側にさらに離れて位置している。したがって、コネクタ用半嵌合防止クリップ６５を、環状保持部２９がクリップ本体６７内に収容されるように、コネクタ１及びパイプ体５５に取り付けようとすると、パイプ体５５の環状確認突部５９は、クリップ本体６７内に収容されるようには位置せず、規制片部７７側に位置する。しかしながら、規制片部７７の間隔は、パイプ体５５の環状確認突部５９の外径よりも小さいので、環状確認突部５９が規制片部７７に当接してパイプ体５５は規制片部７７間を通過できない。したがって、コネクタ用半嵌合防止クリップ６５をコネクタ１及びパイプ体５５に取り付けることができない（図１０では、環状確認突部５９が他方側壁部７５に当接している）。ここでは、一対の規制片部７７は、補強リブ９９、９９の形成により変形しにくくなっているので、環状確認突部５９を一対の規制片部７７に強く押し付けても、環状確認突部５９が一対の規制片部７７間を通過してしまうといったことはない。
【００３４】
また、コネクタ１内又はリテーナー３７内へのパイプ体５５の挿入が不十分で、パイプ体５５の環状確認突部５９が、コネクタハウジング５の軸方向他方側端から軸方向他方側に大きく離れて位置し、パイプ体５５の環状確認突部５９が、コネクタ用半嵌合防止クリップ６５の規制片部７７よりも軸方向他方側に位置することとなる状態では、他方側壁部７５の内面と規制片部７７の軸方向他方側端との軸方向距離が、パイプ体５５の環状係合突部５７と環状確認突部５９との軸方向間隔よりも長く設定されているので、パイプ体５５の環状係合突部５７が規制片部７７側に位置することとなる。したがって、コネクタ用半嵌合防止クリップ６５を、コネクタ１及びパイプ体５５に取り付けようとすると、パイプ体５５の環状係合突部５７が、この環状係合突部５７の外径よりも小さい間隔で配置されている一対の規制片部７７、又は環状係合突部５７の外径よりも狭い幅のパイプ嵌め込み溝７３を有する他方側壁部７５のＵ字開口側端に当接するので、コネクタ用半嵌合防止クリップ６５をコネクタ１及びパイプ体５５に取り付けることができない（図１１参照：図１１は、環状確認突部５９が、規制片部７７の軸方向他方側端部に位置する場合を示し、この場合には、環状確認突部５９が規制片部７７に当接し、環状係合突部５７が他方側壁部７５のＵ字開口側端と当接している）。
【００３５】
さらに、図１２に示すように、コネクタ１内又はリテーナー３７内へのパイプ体５５の挿入が不十分で、パイプ体５５の環状係合突部５７が、リテーナー３７の係合部４３の当接部５１と係合していないときに、パイプ体５５の環状確認突部５９よりも軸方向一方側の部分を、規制片部７７の軸方向他方側から規制片部７７間に通しても、あるいは嵌め込んでも、環状確認突部５９と補強リブ９９の端面１０１との当接により、環状確認突部５９全体が規制片部７７と他方側壁部７５との間に入り込むことが阻止される。したがって、他方側壁部７５のＵ字開口側端が環状係合突部５７と当接するので、パイプ体５５は規制片部７７間を通過することができない。したがって、コネクタ用半嵌合防止クリップ６５をコネクタ１及びパイプ体５５に取り付けることができない。
【００３６】
【発明の効果】
以上説明したように、本発明のコネクタ用半嵌合防止クリップは、コネクタとパイプ体とが半嵌合状態のときにもコネクタ及びパイプ体に取り付けられてしまうといったおそれが少ないものであり、優れた接続確認機能を有するものである。
【図面の簡単な説明】
【図１】本発明に係るコネクタ用半嵌合防止クリップを取り付けるためのコネクタの斜視図である。
【図２】コネクタの断面図である。
【図３】コネクタにパイプ体を挿入接続した場合の断面図である。
【図４】本発明に係るコネクタ用半嵌合防止クリップの斜視図である。
【図５】コネクタ用半嵌合防止クリップの別の斜視図である。
【図６】コネクタ用半嵌合防止クリップをコネクタ及びパイプ体に取り付ける場合の説明図である。
【図７】コネクタ用半嵌合防止クリップをコネクタ及びパイプ体に取り付けた場合の斜視図である。
【図８】コネクタ用半嵌合防止クリップをコネクタ及びパイプ体に取り付けた場合の別の斜視図である。
【図９】コネクタ用半嵌合防止クリップをコネクタ及びパイプ体に取り付けた場合の断面図である。
【図１０】パイプ体がコネクタと半嵌合状態のときにコネクタ用半嵌合防止クリップをコネクタ及びパイプ体に取り付けようとした場合の説明図である。
【図１１】パイプ体がコネクタと別の半嵌合状態のときにコネクタ用半嵌合防止クリップをコネクタ及びパイプ体に取り付けようとした場合の説明図である。
【図１２】パイプ体がコネクタと半嵌合状態のときにコネクタ用半嵌合防止クリップをコネクタ及びパイプ体に特殊な態様で取り付けようとした場合の説明図である。
【図１３】パイプ体がコネクタと半嵌合状態のときに、従来のコネクタ用半嵌合防止クリップをコネクタ及びパイプ体に特殊な態様で取り付けようとした場合の説明図である。
【図１４】従来のコネクタ用半嵌合防止クリップをコネクタ及びパイプ体に特殊な態様で取り付けた場合の断面図である。
【符号の説明】
１                      コネクタ
３                      ホース接続部
３５                    挿入開口（軸方向他方側端開口）
３７                    リテーナー（リテーナー手段）
５５                    パイプ体
５７                    環状係合突部
５９                    環状確認突部
６５                    コネクタ用半嵌合防止クリップ
６７                    クリップ本体
６９                    コネクタ嵌め込み溝
７１                    一方側壁部
７３                    パイプ嵌め込み溝
７５                    他方側壁部
７７                    規制片部
９９                    補強リブ
【図１】
0003700851.tif 000002
【図２】
0003700851.tif 000003
【図３】
0003700851.tif 000004
【図４】
0003700851.tif 000005
【図５】
0003700851.tif 000006
【図６】
0003700851.tif 000007
【図７】
0003700851.tif 000008
【図８】
0003700851.tif 000009
【図９】
0003700851.tif 000010
【図１０】
0003700851.tif 000011
【図１１】
0003700851.tif 000012
【図１２】
0003700851.tif 000013
【図１３】
0003700851.tif 000014
【図１４】
0003700851.tif 000015